(57)【要約】【課題】  受信可能な放送を容易に把握することができる電波受信装置を提供する。【解決手段】  第１の放送を受信する第１の受信部１または第２の放送を受信する第２の受信部２により受信された受信信号に基づく映像情報及び音声情報を出力部６，７に出力し、車両に搭載される電波受信装置において、第１の受信部１により受信された電波を計測する第１の計測手段と、第１の計測手段による計測結果に基づいて第１の受信部１により第１の放送が受信可能であるか否かを判別する第１の判別手段と、第２の受信部２により受信された電波を計測する第２の計測手段と、第２の計測手段による計測結果に基づいて第２の受信部２により第２の放送が受信可能であるか否かを判別する第２の判別手段と、第１の判別手段及び第２の判別手段による判別結果に基づいて、出力部６，７において第１の放送及び第２の放送の中で受信可能な放送を示すシンボルの表示を行なう表示制御手段とを備える。【選択図】  図１
2007129629.tif 000002
【特許請求の範囲】
【請求項１】
第１の放送を受信する第１の受信部または第２の放送を受信する第２の受信部により受信された受信信号に基づく映像情報及び音声情報を出力部に出力し、車両に搭載される電波受信装置において、
前記第１の受信部により受信された電波を計測する第１の計測手段と、
前記第１の計測手段による計測結果に基づいて前記第１の受信部により前記第１の放送が受信可能であるか否かを判別する第１の判別手段と、
前記第２の受信部により受信された電波を計測する第２の計測手段と、
前記第２の計測手段による計測結果に基づいて前記第２の受信部により前記第２の放送が受信可能であるか否かを判別する第２の判別手段と、
前記第１の判別手段及び前記第２の判別手段による判別結果に基づいて、前記出力部において前記第１の放送及び前記第２の放送の中で受信可能な放送を示すシンボルの表示を行なう表示制御手段と、
を備えることを特徴とする電波受信装置。
【請求項２】
前記第１の判別手段により前記第１の放送が受信可能であると判別され、前記第２の判別手段により前記第２の放送が受信可能であると判別された場合、
前記第１の計測手段による計測結果及び前記第２の計測手段による計測結果を比較する比較手段を更に備え、
前記表示制御手段は、前記比較手段による比較結果に基づいて、前記第１の放送を示すシンボル及び前記第２の放送を示すシンボルを、受信状態が良好な順に表示することを特徴とする請求項１記載の電波受信装置。
【請求項３】
前記表示制御手段は、前記出力部に出力されている前記映像情報及び前記音声情報が前記第１の放送または前記第２の放送であるかを識別可能に前記シンボルの表示を行なうことを特徴とする請求項１または請求項２記載の電波受信装置。
【請求項４】
前記第１の放送を示すシンボルまたは前記第２の放送を示すシンボルを選択することにより、前記出力部から前記映像情報及び前記音声情報の出力を行う、前記第１の放送または前記第２の放送の選択を行なう選択手段を備えることを特徴とする請求項１乃至請求項３の何れか一項に記載の電波受信装置。
【請求項５】
前記第１の放送は移動体用デジタル放送であり、前記第２の放送は固定受信局用デジタル放送であることを特徴とする請求項１乃至請求項４の何れか一項に記載の電波受信装置。
【請求項６】
前記第１の放送はアナログ放送であり、前記第２の放送は固定受信局用デジタル放送であることを特徴とする請求項１乃至請求項４の何れか一項に記載の電波受信装置。
【発明の詳細な説明】
【技術分野】
【０００１】
この発明は、第１の放送を受信する第１の受信部及び第２の放送を受信する第２の受信部を備え、車両に搭載される電波受信装置に関するものである。
【背景技術】
【０００２】
固定受信局用デジタル放送とアナログ放送、固定受信局用デジタル放送と移動体用デジタル放送等の２つ以上の放送を受信できるハイブリッド受信機が開発されている（例えば、特許文献１参照）。このようなハイブリッド受信機においては、２つ以上の放送から１つの放送を選択し、選択された１つの放送にかかる映像情報や音声情報が表示部やスピーカ等の出力部に出力される。ここで、２つ以上の放送から１つの放送を選択する手段として、ユーザ自身が手動で行なう方法と、受信機が自動で行なう方法とが提案されている。
【０００３】
【特許文献１】特開２００４−３５６７０３号公報
【発明の開示】
【発明が解決しようとする課題】
【０００４】
ところで、上述のようにユーザ自身が手動で選択する方法または受信機が自動で選択する方法のいずれを行なう場合においても、それぞれの放送の電波が受信可能か否か、どの放送の電波が受信状態が良好か等を把握する必要がある。
【０００５】
この発明の課題は、受信可能な放送を容易に把握することができる電波受信装置を提供することである。
【課題を解決するための手段】
【０００６】
請求項１記載の電波受信装置は、第１の放送を受信する第１の受信部及び第２の放送を受信する第２の受信部の何れか一方により受信された受信信号に基づく映像情報及び音声情報を出力部に出力し、車両に搭載される電波受信装置において、第１の受信部により受信された電波を計測する第１の計測手段と、第１の計測手段による計測結果に基づいて第１の受信部により第１の放送が受信可能であるか否かを判別する第１の判別手段と、第２の受信部により受信された電波を計測する第２の計測手段と、第２の計測手段による計測結果に基づいて第２の受信部により第２の放送が受信可能であるか否かを判別する第２の判別手段と、第１の判別手段及び第２の判別手段による判別結果に基づいて、出力部において第１の放送及び第２の放送の中で受信可能な放送を示すシンボルの表示を行なう表示制御手段とを備えることを特徴とする。
【０００７】
この請求項１記載の電波受信装置によれば、受信可能な放送を示すシンボルの表示を行なうため、受信可能な放送を容易に把握することができる。
【０００８】
また、請求項２記載の電波受信装置は、第１の判別手段により第１の放送が受信可能であると判別され、第２の判別手段により第２の放送が受信可能であると判別された場合、第１の計測手段による計測結果及び第２の計測手段による計測結果を比較する比較手段を更に備え、表示制御手段は、比較手段による比較結果に基づいて、第１の放送を示すシンボル及び第２の放送を示すシンボルを、受信状態が良好な順に表示することを特徴とする。
【０００９】
この請求項２記載の電波受信装置によれば、第１の放送を示すシンボル及び第２の放送を示すシンボルを受信状態が良好な順に表示するため、受信状態が良好な放送を容易に把握することができる。
【００１０】
また、請求項３記載の電波受信装置は、表示制御手段が出力部に出力されている映像情報及び音声情報が第１の放送または第２の放送であるかを識別可能にシンボルの表示を行なうことを特徴とする。
【００１１】
この請求項３記載の電波受信装置によれば、出力部に出力されている映像情報及び音声情報が第１の放送または第２の放送であるかを容易に把握することができる。
【００１２】
また、請求項４記載の電波受信装置は、第１の放送を示すシンボルまたは第２の放送を示すシンボルを選択することにより、出力部から映像情報及び音声情報の出力を行う、第１の放送または第２の放送の選択を行なう選択手段を備えることを特徴とする。
【００１３】
この請求項４記載の電波受信装置によれば、第１の放送を示すシンボルまたは第２の放送を示すシンボルを選択する選択手段を備えているため、受信可能な放送の映像情報及び音声情報を容易に出力することができる。
【００１４】
また、請求項５記載の電波受信装置は、第１の放送は移動体用デジタル放送であり、第２の放送は固定受信局用デジタル放送であることを特徴とする。
【００１５】
また、請求項６記載の電波受信装置は、第１の放送はアナログ放送であり、第２の放送は固定受信局用デジタル放送であることを特徴とする。
【発明の効果】
【００１６】
この発明の電波受信装置によれば、受信可能な放送を示すシンボルの表示を行なうため、車両の駐停車中等において受信可能な放送を容易に把握することができる。また、第１の放送を示すシンボル及び第２の放送を示すシンボルを受信状態が良好な順に表示するため、車両の駐停車中等において受信状態が良好な放送を容易に把握することができる。また、出力部に出力されている映像情報及び音声情報が第１の放送または第２の放送であるかを識別可能なシンボルの表示を行なうため、車両の駐停車中等において出力部に出力されている映像情報及び音声情報が第１の放送または第２の放送であるかを容易に把握することができる。
【発明を実施するための最良の形態】
【００１７】
以下、図面を参照して、この発明の実施の形態にかかる電波受信装置について説明する。この実施の形態にかかる電波受信装置は、車両に搭載されるものである。図１は、実施の形態にかかる電波受信装置の構成を示すブロック図である。図１に示すように、この電波受信装置は、第１のアンテナ１Ａ及び第２のアンテナ２Ａを備えている。第１のアンテナ１ＡはアナログＴＶ放送（第１の放送）用の電波を受け取るように構成されており、第２のアンテナ２Ａは固定受信局用デジタルＴＶ放送（第２の放送）用の電波及び移動体用デジタルＴＶ放送（第１の放送）用の電波を受け取るように構成されている。なお、アナログＴＶ放送は、例えば地上アナログ放送等を指している。また、固定受信局用デジタルＴＶ放送は、例えばＣＳ、ＢＳ、地上デジタル放送等を指している。また、移動体受信局用デジタルＴＶ放送は、例えば携帯電話用デジタル放送等を指している。
【００１８】
また、この電波受信装置は、第１の電波処理部１及び第２の電波処理部２を備えている。第１の電波処理部（第１の受信部）１は、第１のアンテナ１ＡからアナログＴＶ放送の電波を受信し、映像情報及び音声情報を出力する。また、第２の電波処理部（第１の受信部または第２の受信部）２は、第２のアンテナ２Ａから固定受信局用デジタルＴＶ放送及び移動体用デジタルＴＶ放送の電波を受信し、映像情報及び音声情報を出力する。
【００１９】
図１に示すように、第１の電波処理部１は、第１の選局部１１及び第１の復調部１２を備えている。第１の選局部１１は、第１のアンテナ１Ａにより受信される電波からアナログＴＶ放送の所要のチャンネルの電波を選択して受信する。また、第１の復調部１２は、第１の選局部１１からの受信電波を復調し、アナログＴＶ放送の映像信号及び音声信号を出力する機能を有する。
【００２０】
また、第２の電波処理部２は、第２の選局部２１、第２の復調部２２、信号処理部２３及び復号部２４を備えている。第２の選局部２１は、第２のアンテナ２Ａにより受信される電波から固定受信局用デジタルＴＶ放送及び移動体用デジタルＴＶ放送の所要のチャンネルの電波を受信する。また、第２の復調部２２は、第２の選局部２１からの受信電波を復調し、デジタル信号を出力する機能を有する。また、信号処理部２３は、インタリーブ処理及び誤り訂正等の必要なデジタル信号処理を行なう機能を有する。また、復号部２４は、信号処理部２３によりデジタル信号処理されたデジタル信号の復号を行なう機能を有する。
【００２１】
また、この電波受信装置は、電波受信装置における全体制御を行なう制御部３を備えている。制御部３には切替部４が接続されており、切替部４は第１及び第２の電波処理部１，２のそれぞれから映像情報及び音声情報を取得する。切替部４は、制御部３からの後述する制御信号に基づいて、第１の電波処理部１または第２の電波処理部２から出力されるアナログＴＶ放送、固定受信局用デジタルＴＶ放送または移動体用デジタルＴＶ放送の映像情報を表示部（出力部）６に対して出力し、音声情報をスピーカ（出力部）７に対して出力する。即ち、図２は表示部６の表示画面の構成を示す図であり、図２に示す画面６ａ上に切替部４から出力されたアナログＴＶ放送、固定受信局用デジタルＴＶ放送または移動体用デジタルＴＶ放送の映像情報が表示される。
【００２２】
また、制御部（第１の計測手段及び第１の判別手段）３は、第１の電波処理部１により処理される受信電波の強さである電界強度（以下、第１の電界強度という。）を計測し、計測した第１の電界強度に基づいてアナログＴＶ放送が受信可能であるか否かを判別する。
【００２３】
また、制御部（第２の計測手段及び第２の判別手段）３は、復号部２４により復号された後の固定受信局用デジタルＴＶ放送のビットエラーレート（ＢＥＲ、以下、第１のＢＥＲという。）を計測し、計測した第１のＢＥＲに基づいて固定受信局用デジタルＴＶ放送が受信可能であるか否かを判別する。
【００２４】
また、制御部（第１の計測手段及び第１の判別手段）３は、復号部２４により復号された後の移動体用デジタルＴＶ放送のＢＥＲ（以下、第２のＢＥＲという。）を計測し、計測した第２のＢＥＲに基づいて移動体用デジタルＴＶ放送が受信可能であるか否かを判別する。
【００２５】
制御部（表示制御手段）３は、判別結果に基づいて、表示部（出力部）６においてアナログＴＶ放送及びデジタルＴＶ放送の中で受信可能な放送を示すシンボルマークの表示を行なう。２つ以上の放送が受信可能であると判別された場合には、制御部３は、第１の電界強度、第２の電波処理部２により処理される受信電波の強さである電界強度（以下、第２の電界強度という。）、第１のＢＥＲ及び第２のＢＥＲとを比較し、比較結果に基づいて受信状態が良好な順にシンボルマークを表示する。例えばアナログＴＶ放送、固定受信局用デジタルＴＶ放送及び移動体用デジタルＴＶ放送が受信可能であると判別され、固定受信局用デジタルＴＶ放送、移動体用デジタルＴＶ放送、アナログＴＶ放送の順に受信状態が良好であるとする。
【００２６】
この場合においては、図２に示すように、受信状態が最も良好な固定受信局用デジタルＴＶ放送を示すシンボルマーク（例えば「固デジタル」）６ｂが画面の最も左側に表示される。また、受信状態が２番目に良好な移動体用デジタルＴＶ放送を示すシンボルマーク（例えば「移デジタル」）６ｃが画面の左側から２番目に表示され、受信状態が３番目、即ち最も悪いアナログＴＶ放送を示すシンボルマーク（例えば「アナログ」）６ｄが画面の左側から３番目（最も右側）に表示される。
【００２７】
また、制御部３は、現在、表示部６の画面６ａに表示されている映像情報及びスピーカ７から出力されている音声情報がアナログＴＶ放送、固定受信局用デジタルＴＶ放送または移動体用デジタルＴＶ放送の何れであるかを表示部６において識別可能にする。例えば、図２に示すように、固定受信局用デジタルＴＶ放送の映像情報及び音声情報が画面６ａ及びスピーカ７から出力されている場合、シンボルマーク「固デジタル」６ｂに枠８を表示する。なお、シンボルマーク「固デジタル」６ｂの色彩を他のシンボルマーク６ｃ，６ｄの色彩と異なるものとすることにより識別可能にしてもよく、表示部６の他の箇所に識別可能な文字、マーク等を表示してもよい。
【００２８】
表示部６は、シンボルマーク６ｂ〜６ｄを指等で押すことにより操作可能なタッチパネル入力装置を備えている。制御部３は、表示部６に表示されているシンボルマーク６ｂ〜６ｄの何れかが押された（選択された）旨の信号を取得した場合、選択されたシンボルマークが示す放送を選択する旨の制御信号を切替部４に対して出力する。
【００２９】
図３は、シンボルマーク６ｂ〜６ｄの何れかが選択された後における表示６の表示内容を示す図である。図３に示すように、例えばシンボルマーク６ｂが選択された後、シンボルマーク６ｂが示す固定受信局用デジタルＴＶ放送のチャンネルを示すマーク９ａ〜９ｈが表示される。シンボルマーク６ｂ〜６ｄと同様に、マーク９ａ〜９ｈを指等で押すことにより、マーク９ａ〜９ｈが示すチャンネルを選択することができる。制御部３は、表示部６に表示されているマーク９ａ〜９ｈの何れかが選択された旨の信号を取得した場合、選択されたマークが示すチャンネルを選局する旨の制御信号を第２の選局部２１に対して出力する。同様に、シンボルマーク６ｃ，６ｄが選択された後においても各シンボルマーク６ｃ，６ｄが示す各放送のチャンネルを示すマークが表示され、表示されたマークを選択することにより、チャンネルが選局される。なお、シンボルマーク６ｄが選択され、シンボルマーク６ｄが示すアナログＴＶ放送のチャンネルを示すマークが選択された場合には、制御部３は、制御信号を第１の選局部１１に対して出力する。
【００３０】
次に、図４に示すフローチャートを参照して、実施の形態にかかる電波受信装置におけるアナログＴＶ放送、固定受信局用デジタルＴＶ放送及び移動体用デジタルＴＶ放送の中で受信可能な放送を示すシンボルマークの表示方法について具体的に説明する。
【００３１】
まず、制御部３は、第１の電波処理部１により処理される受信電波の強さを示す電界強度（第１の電界強度）を計測する（ステップＳ１０、第１の計測手段）。次に、制御部３は、ステップＳ１０において計測された第１の電界強度に基づいて、アナログＴＶ放送が受信可能であるか否かを判別する（ステップＳ１１、第１の判別手段）。即ち、第１の電界強度が受信可能な程度に大きい場合にはアナログＴＶ放送は受信可能であると判別し、第１の電界強度が受信することができない程度に小さい場合にはアナログＴＶ放送は受信可能でないと判別する。
【００３２】
ステップＳ１１においてアナログＴＶ放送が受信可能であると判別された場合、制御部３は、アナログＴＶ放送が受信可能であることを示す第１のシンボルマーク６ｄを表示部６に表示することを決定する（ステップＳ１２）。また、ステップＳ１１においてアナログＴＶ放送が受信不可であると判別された場合には、第１のシンボルマーク６ｄは表示されない。
【００３３】
次に、制御部３は、第２の電波処理部２により処理される受信電波の強さを示す電界強度（第２の電界強度）を計測し（ステップＳ１３、第２の計測手段）、復号部２４により復号された後の固定受信局用デジタルＴＶ放送用の受信デジタル信号についてのＢＥＲ（第１のＢＥＲ）を計測する（ステップＳ１４、第２の計測手段）。次に、制御部３は、ステップＳ１４において計測された第１のＢＥＲに基づいて、固定受信局用デジタルＴＶ放送が受信可能であるか否かを判別する（ステップＳ１５、第２の判別手段）。
【００３４】
即ち、第１のＢＥＲが受信可能な程度に小さい場合には、固定受信局用デジタルＴＶ放送は受信可能であると判別する。また、第１のＢＥＲが受信することができない程度に大きい場合には、固定受信局用デジタルＴＶ放送は受信可能でないと判別する。
【００３５】
ステップＳ１５において固定受信局用デジタルＴＶ放送が受信可能であると判別された場合、制御部３は、固定受信局用デジタルＴＶ放送が受信可能であることを示す第２のシンボルマーク６ｂを表示部６に表示することを決定する（ステップＳ１６）。また、ステップＳ１５において固定受信局用デジタルＴＶ放送が受信不可であると判別された場合には、第２のシンボルマーク６ｂは表示されない。
【００３６】
次に、制御部３は、復号部２４により復号された後の移動体用デジタルＴＶ放送用の受信デジタル信号についてのＢＥＲ（第２のＢＥＲ）を計測する（ステップＳ１７、第１の計測手段）。次に、制御部３は、ステップＳ１７において計測された第２のＢＥＲに基づいて、移動体用デジタルＴＶ放送が受信可能であるか否かを判別する（ステップＳ１８、第２の判別手段）。
【００３７】
即ち、第２のＢＥＲが受信可能な程度に小さい場合には、移動体用デジタルＴＶ放送は受信可能であると判別する。また、第２のＢＥＲが受信することができない程度に大きい場合には、移動体用デジタルＴＶ放送は受信可能でないと判別する。
【００３８】
ステップＳ１８において移動体用デジタルＴＶ放送が受信可能であると判別された場合、制御部３は、移動体用デジタルＴＶ放送が受信可能であることを示す第３のシンボルマーク６ｃを表示部６に表示することを決定する（ステップＳ１９）。また、ステップＳ１８において移動体用デジタルＴＶ放送が受信不可であると判別された場合には、第３のシンボルマーク６ｃは表示されない。
【００３９】
次に、制御部３は、第１〜第３のシンボルマーク６ｂ〜６ｄのうち２つ以上のシンボルマークが表示される決定がされている否かを判別する（ステップＳ２０）。２つ以上のシンボルマークが表示される決定がされていると判別された場合には、表示される予定のシンボルマークが示す放送それぞれの計測値（電界強度及びＢＥＲ）を比較する（ステップＳ２１、比較手段）。例えば第１〜第３のシンボルマーク６ｂ〜６ｄが表示される決定がされている場合、まず第１の電界強度と第２の電界強度とを比較し、比較結果に基づいてアナログＴＶ放送またはデジタルＴＶ放送（固定受信局用及び移動体用）で受信状態が良好な放送を判別する。
【００４０】
具体的には、第１の電界強度が第２の電界強度より大きい場合には、アナログＴＶ放送がデジタルＴＶ放送より受信状態が良好と判別される。即ち、アナログＴＶ放送が表示部６に映像をデジタルＴＶ放送より高品質で表示可能、かつスピーカ７に音声をデジタルＴＶ放送より高品質で出力可能であると判別される。また、第２の電界強度が第１の電界強度より大きい場合には、デジタルＴＶ放送がアナログＴＶ放送より受信状態が良好と判別される。即ち、デジタルＴＶ放送が表示部６に映像をアナログＴＶ放送より高品質で表示可能、かつスピーカ７に音声をアナログＴＶ放送より高品質で出力可能であると判別される。
【００４１】
次に、第１のＢＥＲと第２のＢＥＲとを比較し、比較結果に基づいて固定受信局用デジタルＴＶ放送または移動体用デジタルＴＶ放送で受信状態が良好な放送を判別する。具体的には、第１のＢＥＲが第２のＢＥＲより小さい場合には、固定受信局用デジタルＴＶ放送が移動体用デジタルＴＶ放送より受信状態が良好と判別される。即ち、固定受信局用デジタルＴＶ放送が表示部６に映像を移動体用デジタルＴＶ放送より高品質で表示可能、かつスピーカ７に音声を移動体用デジタルＴＶ放送より高品質で出力可能であると判別される。また、第２のＢＥＲが第１のＢＥＲより小さい場合には、移動体用デジタルＴＶ放送が固定受信局用デジタルＴＶ放送より受信状態が良好と判別される。即ち、移動体用デジタルＴＶ放送が表示部６に映像を固定受信局用デジタルＴＶ放送より高品質で表示可能、かつスピーカ７に音声を固定受信局用デジタルＴＶ放送より高品質で出力可能であると判別される。
【００４２】
次に、制御部３は、ステップＳ２１において比較した結果に基づいて、表示部６に表示されるシンボルマークの順序を決定する（ステップＳ２２）。例えば、第１〜第３のシンボルマーク６ｂ〜６ｄが表示される決定がされており、固定受信局用デジタルＴＶ放送、移動体用デジタルＴＶ放送、アナログＴＶ放送の順に受信状態が良好であるとする。この場合には、図２に示すように、画面の左側から順に、受信状態が最も良好な固定受信局用デジタルＴＶ放送を示す第２のシンボルマーク６ｂ、移動体用デジタルＴＶ放送を示す第３のシンボルマーク６ｃ、アナログＴＶ放送を示す第１のシンボルマーク６ｄが表示される（ステップＳ２３）。
【００４３】
次に、制御部３は、現在、表示部６の画面６ａに表示されている映像情報及びスピーカ７から出力されている音声情報がアナログＴＶ放送、固定受信局用デジタルＴＶ放送または移動体用デジタルＴＶ放送の何れであるかを表示部６において識別可能にする（ステップＳ２４）。即ち、図２に示すように、固定受信局用デジタルＴＶ放送の映像情報及び音声情報が画面６ａ及びスピーカ７から出力されている場合、第１のシンボルマーク６ｂに枠８を表示する。
【００４４】
なお、図２においては、アナログＴＶ放送、固定受信局用デジタルＴＶ放送及び移動体用デジタルＴＶ放送が受信可能である場合における表示部６の表示内容を示しているが、例えばアナログＴＶ放送及び固定受信局用デジタルＴＶ放送が受信可能であり、移動体用デジタルＴＶ放送が受信不可である場合における表示部６の表示内容を図５に示す。
【００４５】
図５においては、画面の左側から順に、アナログ放送を示す第１のシンボルマーク６ｄ、固定受信局用デジタルＴＶ放送を示す第２のシンボルマーク６ｂが表示されている。即ち、アナログ放送が固定受信局用デジタルＴＶ放送と比較して受信状態が良好であることを示している。また、図５においては、第１のシンボルマーク６ｄを囲む枠８が表示されている。即ち、現在、画面６ａに表示されている映像情報及びスピーカ７から出力されている音声情報がアナログＴＶ放送であることを示している。
【００４６】
また、図６は、例えば固定受信局用デジタルＴＶ放送のみが受信可能であり、画面６ａに表示されている映像情報及びスピーカ７から出力されている音声情報が移動体用デジタルＴＶ放送である場合における表示部６の表示内容を示している。固定受信局用デジタルＴＶ放送を示す第２のシンボルマーク６ｂ、及び枠８に囲まれた移動体用デジタルＴＶ放送を示す第３のシンボルマーク６ｃが表示されているが、第３のシンボルマーク６ｃはタッチパネル入力装置による選択を行なうことができないように表示されている。即ち、第２のシンボルマーク６ｂのみが選択可能となっている。
【００４７】
この実施の形態にかかる電波受信装置によれば、受信可能な放送を示す第１〜第３シンボルマークの表示を行なうため、車両の駐停車中等において受信可能な放送を容易に把握することができる。また、受信可能な放送が２つ以上あった場合、受信状態が良好な順に表示するため、車両の駐停車中等において受信状態が良好な放送を容易に把握することができる。また、表示部に表示されている映像情報及びスピーカから出力されている音声情報がどの放送であるかを識別可能としているため、車両の駐停車中等において表示部に表示されている映像情報及びスピーカから出力されている音声情報がどの放送であるかを容易に把握することができる。
【００４８】
なお、この実施の形態にかかる電波受信装置においては、アナログＴＶ放送、固定受信局用デジタルＴＶ放送及び移動体用デジタルＴＶ放送を受信することができるように構成されているが、２つの放送のみを受信することができるように構成してもよい。例えば、アナログＴＶ放送及び固定受信局用デジタルＴＶ放送のみ、または固定受信局用デジタルＴＶ放送及び移動体用デジタルＴＶ放送のみを受信することができるように構成してもよい。
【図面の簡単な説明】
【００４９】
【図１】実施の形態にかかる電波受信装置の構成を示すブロック図である。
【図２】実施の形態にかかる表示部の表示内容を示す図である。
【図３】実施の形態にかかる表示部の表示内容を示す図である。
【図４】実施の形態にかかる電波受信装置における選択方法を説明するためのフローチャートである。
【図５】実施の形態にかかる表示部の表示内容を示す図である。
【図６】実施の形態にかかる表示部の表示内容を示す図である。
【符号の説明】
【００５０】
１…第１の電波処理部、２…第２の電波処理部、１Ａ…第１のアンテナ、２Ａ…第２のアンテナ、３…制御部、４…切替部、６…表示部、７…スピーカ、１１…第１の選局部、１２…第１の復調部、２１…第２の選局部、２２…第２の復調部、２３…信号処理部、２４…復号部。
【図１】
2007129629.tif 000003
【図２】
2007129629.tif 000004
【図３】
2007129629.tif 000005
【図４】
2007129629.tif 000006
【図５】
2007129629.tif 000007
【図６】
2007129629.tif 000008